(57)【要約】【課題】発呼番号に対応した正しい相手先通信端末に対する接続をより確実に判別することができる通信端末装置を提供する。【解決手段】発呼番号の入力に基づいて回線接続された相手先端末から加入者番号情報を受け取り、この加入者番号情報の下４桁と、発呼番号の下４桁、及び、照合専用番号の下４桁とが順次照合される。そして、加入者番号情報の下４桁が、発呼番号又は照合専用番号の下４桁と一致したときには、相手先端末が発呼番号に対応した正しい通信端末であると判断され、ファックス送信が実行される。一方、加入者番号情報の下４桁が、発呼番号及び照合専用番号のいずれの下４桁同士とも一致しなかったときには、その相手先端末が発呼番号に対応する正しい通信端末ではないと判断され、ファックス送信が中止される。【選択図】図１
2007129352.tif 000002
【特許請求の範囲】
【請求項１】
発呼番号の入力に基づいて回線接続された相手先端末から加入者番号情報を受け取り、この加入者番号情報から、同発呼番号に対応した相手先端末に接続されたか否かを検知する通信端末装置において、
前記発呼番号の前又は後に区切り記号を挟んで入力された照合専用番号と、前記加入者番号情報との照合結果から、前記相手先端末への接続がなされたか否かを検知する照合手段を備えたことを特徴とする通信端末装置。
【請求項２】
前記照合手段は、前記照合専用番号と加入者番号情報との照合結果と、前記発呼番号と加入者番号情報との照合結果から、前記相手先端末への接続がなされたか否かを検知することを特徴とする請求項１に記載の通信端末装置。
【請求項３】
前記照合手段は、前記発呼番号の後に区切り記号を挟んで入力された前記照合専用番号と、前記加入者番号情報との照合結果から、前記相手先端末への接続がなされたか否かを検知することを特徴とする請求項１又は請求項２に記載の通信端末装置。
【発明の詳細な説明】
【技術分野】
【０００１】
この発明は、発呼番号の入力に基づいて回線接続された相手先端末から加入者番号情報を受け取り、この加入者番号情報から、同発呼番号に対応した相手先端末に接続されたか否かを検知する通信端末装置に関するものである。
【背景技術】
【０００２】
従来、ファクシミリ装置においては、例えば特許文献１に記載の通信端末装置のように、送信した画像データが特定の受け取り者によってのみ相手先端末から取り出させるようにした親展機能を有するものがある。これは、相手先端末に対してサブアドレス及びパスワードを送信し、このサブアドレスによって指定した相手先端末のメモリボックスに画像データを格納させるとともに、相手先側で受取人によって入力されるパスワードが送信したパスワードと一致したときにそのメモリボックスから画像データを取り出させるようにしたものである。
【０００３】
また、特許文献２には、サブアドレスやパスワードを発呼番号に続けて識別記号とともに入力させるようにすることにより、サブアドレスやパスワードの入力を容易にしたファクシミリ装置が開示されている。
【特許文献１】特開平１１−２７４２１号公報
【特許文献２】特開平１０−１７３８９２号公報
【発明の開示】
【発明が解決しようとする課題】
【０００４】
ところで、発呼側端末は、電話会社の交換機により外線を通じて相手先端末に回線接続される。この交換機には、何らかの原因により、発呼番号とは異なる相手先端末に発呼側端末が誤接続される虞が極めて小さいながらもある。このような場合には、発呼番号に対応する相手先端末とは異なる端末に画像データが送信されてしまうことになる。
【０００５】
このような通信上の問題に起因する誤接続を防止するために、いわゆる「パスワード送信機能」を備えた通信端末装置が周知である。このパスワード送信機能は、発呼側端末が、発呼番号の例えば下４桁と、回線接続された相手先端末から送られた加入者番号情報（ＳｕｂＩＤ：Subscriber Identification）の下４桁とを照合し、この照合結果から、その相手先端末が発呼番号に対応する通信端末であるか否かを検知するものである。そして、ＳｕｂＩＤの下４桁が発呼番号の下４桁と一致したときにはファックス送信が実行され、一致しないときにはファックス送信が中止される。このパスワード送信機能は、各通信端末において通常ＳｕｂＩＤとして外線番号が登録されているために可能となっている。
【０００６】
ところが、企業等の大きな組織内においては、複数の通信端末装置が内線交換機を介して接続され、各通信端末装置に設定された内線番号を用いて社内のみでファックス通信を行なうシステムが採用されている。各通信端末装置は、内線交換機を介して電話会社の交換機にも接続されており、外線番号を用いて社外の通信端末装置ともファックス通信を行うことができるようになっている。
【０００７】
このような通信端末装置には、前記ＳｕｂＩＤとして内線番号が設定されている場合がある。これは、相手先端末において印刷された受信文書に発呼側端末のＳｕｂＩＤが例えばＴＴＩ（Transmitter Terminal Identification ）情報として記録紙上に記録されるため、相手先で発呼側を判別し易いという理由による。この場合、会社外の通信端末から会社内の通信端末にパスワード送信が行なわれたときに、その発呼側端末に対しＳｕｂＩＤとして内線番号が送られてしまうことになる。この結果、社外の発呼側端末において、その相手先端末が発呼番号に対応する通信端末ではないと判断され、ファックス送信が中止されることになる。従って、ＳｕｂＩＤとして外線番号が設定されていない通信端末に対しては、社外の通信端末からパスワード送信を行うことができなかった。一方、上記と逆に、ＳｕｂＩＤとして外線番号が設定されている通信端末に対しては、社内の通信端末からパスワード送信を行うことができなかった。
【０００８】
この発明の目的は、発呼番号に対応した正しい相手先通信端末に対する接続をより確実に判別することができる通信端末装置を提供することにある。
【課題を解決するための手段】
【０００９】
上記目的を達成するため、請求項１に記載の発明は、発呼番号の入力に基づいて回線接続された相手先端末から加入者番号情報を受け取り、この加入者番号情報から、同発呼番号に対応した相手先端末に接続されたか否かを検知する通信端末装置において、前記発呼番号の前又は後に区切り記号を挟んで入力された照合専用番号と、前記加入者番号情報との照合結果から前記相手先端末への接続がなされたか否かを検知する照合手段を備えたことを特徴とする。
【００１０】
請求項２に記載の発明は、請求項１に記載の発明において、前記照合手段は、前記照合専用番号と加入者番号情報との照合結果と、前記発呼番号と加入者番号情報との照合結果とから、前記相手先端末への接続がなされたか否かを検知することを特徴とする。
【００１１】
請求項３に記載の発明は、請求項１又は請求項２に記載の発明において、前記照合手段は、前記発呼番号の後に区切り記号を挟んで入力された前記照合専用番号と、前記加入者番号情報との照合結果から、前記相手先端末への接続がなされたか否かを検知することを特徴とする。
【発明の効果】
【００１２】
この発明によれば、発呼番号に対応した相手先通信端末に対する接続をより確実に判別することができる。すなわち、相手先端末においては、加入者番号情報として、その発呼番号である外線番号（又は内線番号）の代わりに、内線番号（又は外線番号）、支店番号あるいは郵便番号等の番号が設定されている場合がある。ここで、この発明では、相手先端末の加入者番号情報と照合するための照合専用番号として、相手先端末における加入者番号情報として設定されている可能性がある内線番号（又は外線番号）、支店番号あるいは郵便番号を設定しておくことができる。そして、この照合専用番号と加入者番号情報との照合により、相手先端末が発呼番号に対応する正しい通信端末であるか否かが判別される。
【００１３】
また、照合手段は、前記照合専用番号と加入者番号情報との照合結果と、前記発呼番号と加入者番号情報との照合結果とから、前記相手先端末への接続がなされたか否かを検知することが好ましい。すなわち、相手先端末においては、加入者番号情報として、その発呼番号である外線番号（又は内線番号）、又は、同発呼番号以外の番号が設定されている場合がある。ここで、この発明では、発呼時に、相手先端末の発呼番号以外の番号が照合専用番号として設定される。そして、照合専用番号と加入者番号情報との照合と、発呼番号と加入者番号情報との照合とにより、相手先端末が発呼番号に対応する正しい通信端末であるか否かが判別される。従って、発呼番号に対応した相手先通信端末に対する接続をより確実に判別することができる。
【発明を実施するための最良の形態】
【００１４】
以下、この発明に係る通信端末装置を複合機に具体化した一実施形態について、図１〜図５に従って説明する。この複合機は、コピー機能、スキャナー機能及びファクシミリ機能を備えている。
【００１５】
図４に示すように、複合機１０は、ＭＰＵ（Micro Processing Unit）１１、ＲＯＭ（Read Only Memory）１２、ワークメモリ１３、読取部１４、記録部１５、操作部１６、表示部１７、画像メモリ１８、コーデック１９（ＣＯＤＥＣ；Coder-Decoder ）、モデム２０（ＭＯＤＥＭ；Modulator-Demodulator）及びネットワーク制御装置（ＮＣＵ；Network Control Unit）２１等から構成され、これら各部１１〜２１はバス２２を介してそれぞれ接続されている。この実施形態では、ＭＰＵ１１が照合手段である。
【００１６】
ＭＰＵ１１は、ＲＯＭ１２に記憶されているプログラムや各種情報に基づき、複合機１０の各部を制御する。ワークメモリ１３はフラッシュメモリ等からなり、複合機１０に関する各種情報を一時的に記憶する。
【００１７】
フラットベッドスキャナ等から構成される読取部１４は、フラットベッドスキャナのプラテンガラス上に載置された原稿の画像を読み取って白黒二値のイメージデータを出力する。電子写真方式のプリンタよりなる記録部１５は、ファックス受信した画像や、コピーモードにおいて読取部１４で読み取った原稿の画像を、複数の用紙カセットのいずれかから引き出した用紙に記録する。
【００１８】
操作者により操作される操作部１６には、コピーモード、スキャナモード及びファックスモードを切り替えるモードキー（図示せず）、コピー動作、スキャナ動作又はファックス送信動作を開始させるためのスタートボタン（図示せず）、及び、電話番号等の数字を入力するためのテンキー（図示せず）が設けられている。さらに、操作部１６には、ａ〜ｚまでのアルファベットキーと、セミコロン、コロン、括弧記号、スペース、「＆」、「＋」、「−」、スラッシュ等のキーとが設けられている。また、操作部１６には、モード毎に各種設定を行うための機能キーを表示するタッチパネルディスプレィが設けられている。このタッチパネルディスプレィからなる表示部１７は、複合機１０の動作状態等の各種表示を行う。
【００１９】
画像メモリ１８には、ファックス受信された画像データ、又は、ファックスモードにおいて読取部１４により原稿から読み取られた画像データが一時的に記憶される。また、画像メモリ１８には、コピーモード又はスキャナモードにおいて読取部１４により原稿から読み取られた画像データが一時的に記憶される。
【００２０】
コーデック１９は、ファックス送受信等のためにイメージデータの圧縮符号化及び復号を行う。モデム２０は、ファックス伝送制御手順に基づいて送信データの変調及び受信データの復調を行う。ネットワーク制御装置２１は、公衆電話回線との接続を制御するとともに、相手先の電話番号に対応したダイヤル信号を送出する機能、及び、着信を検出するための機能を備えている。ＬＡＮインターフェース２４は、ＴＣＰ／ＩＰの通信プロトコル等に基づき、ローカルエリアネットワークを介して接続された図示しない複数のユーザ端末との間の通信制御を行う。
【００２１】
次に、ＲＯＭ１２に記憶されているプログラムに基づいてＭＰＵ１１が実行するファックス送信処理について説明する。このファックス送信処理は、ファクシミリ送信時に実行される。
【００２２】
図１に示すように、ファックス送信処理においては、まず、ステップ（以下、Ｓと略記する。）１００において、ユーザによるテンキー入力、あるいは、ユーザによる短縮番号入力により、発呼番号が入力されたか否かが判定される。
【００２３】
Ｓ１００でユーザにより発呼番号が入力されると、次にＳ１０１で、発呼番号に続き、ユーザによるスラッシュキーの操作によって区切り記号としてのスラッシュ「／」が入力されるとともに、ユーザによるテンキー操作により照合専用番号が入力されたか否かが判定される。この照合専用番号は、相手先端末に対してパスワード送信を行なうときに入力される。
【００２４】
このパスワード送信においては、まず、回線接続された相手先端末から受け取った加入者番号情報（ＳｕｂＩＤ；Subscriber Identification）の例えば下４桁と発呼番号の下４桁とを照合する。次に、この加入者番号情報の下４桁と発呼番号の下４桁とが一致したときには、その相手先端末が発呼番号に対応する通信端末であると判断し、ファックス送信処理を継続する。一方、この加入者番号情報の下４桁と発呼番号の下４桁とが一致しないときには、相手先端末が発呼番号に対応する通信端末ではないと判断し、ファックス送信処理を中止する。
【００２５】
前記照合専用番号は、相手先端末において加入者番号情報として設定されている可能性のある番号である。すなわち、相手先端末が会社内の通信端末である場合には、加入者番号情報として例えば内線番号が設定されている可能性があり、また、相手先端末が銀行内の通信端末である場合には、加入者番号情報として例えば銀行支店番号が設定されている可能性がある。さらに、相手先端末が郵便局の通信端末である場合には、加入者番号情報として例えば郵便番号が設定されている可能性がある。
【００２６】
例えば、会社内のある通信端末に対し社外の通信端末からパスワード送信を行うときには、図５（ａ）に示すように、その通信端末に対する発呼番号である外線番号の後に、スラッシュで区切って照合専用番号としての相手先端末の内線番号がユーザによって入力される。また、会社内のある通信端末に対し内線を介して社内の別の通信端末からパスワード送信を行うときには、図５（ｂ）に示すように、その相手先通信端末に対する発呼番号である内線番号の後に、スラッシュで区切って照合専用番号としての相手先通信端末の外線番号がユーザによって入力される。また、銀行の支店内のある通信端末に対し別の支店の通信端末からパスワード送信を行うときには、図５（ｃ）に示すように、その相手先通信端末に対する発呼番号である外線番号の後に、スラッシュで区切って照合専用番号としての相手先銀行の支店番号がユーザによって入力される。あるいは、ある郵便局の通信端末に対し別の郵便局の通信端末からパスワード送信を行うときには、図５（ｄ）に示すように、その相手先通信端末に対する発呼番号である外線番号の後に、スラッシュで区切って照合専用番号としての相手先郵便局の郵便番号がユーザによって入力される。そして、発呼番号に続き、スラッシュとともに照合専用番号がユーザによって入力されると、ファクシミリ送信処理のモードが通常送信モードからパスワード送信モードに切り替えられる。このパスワード送信モードにおいては、前述したパスワード送信によるファックス送信処理が行われる。
【００２７】
Ｓ１０１でユーザによって照合専用番号が入力されたと判定されると、次にＳ１０２で、ユーザによってスタートボタンが押されたか否かが判定される。そして、Ｓ１０２でスタートボタンが押されると、次にＳ１０３で、発呼番号が回線に送出される。
【００２８】
次に、Ｓ１０４において、例えば相手先端末からの被呼局識別番号（ＣＥＤ）の受信の有無から、相手先端末に接続されたか否かが判定される。Ｓ１０４で相手先端末に接続されたと判定されると、次にＳ１０５で、コーリングトーン（ＣＮＧ）が回線に送出される。
【００２９】
次にＳ１０６で、相手先端末から非標準機能信号（ＮＳＦ）が送られたか否かが判定される。そして、Ｓ１０６で非標準機能信号が送られたと判定されると、次に、Ｓ１０７で、この非標準機能信号に含まれる加入者番号情報の桁数と、前記発呼番号の桁数とのうちの少ない桁数の分だけの加入者番号情報の下の桁の番号と、同じく発呼番号の下の桁の番号とが照合される。例えば、加入者番号情報とした４桁の内線番号が設定されているときには、加入者番号情報の下４桁と、前記発呼番号の下４桁とが一致するか否かが判定される。
【００３０】
Ｓ１０７で加入者番号情報の下４桁と、発呼番号の下４桁とが一致したときには、回線接続された相手先端末が発呼番号に対応する通信端末であると判断される。そして、次に、Ｓ１０８で、通常のファクシミリ通信手順によりデータ送信が実行される。Ｓ１０８でデータ送信が終了すると、通常のファクシミリ通信手順によりファックス送信処理が終了される。
【００３１】
一方、Ｓ１０７で加入者番号情報の下４桁と、発呼番号の下４桁同士とが一致しなかったときは、次に、Ｓ１０９で、加入者番号情報の下４桁と、前記照合専用番号の下４桁とが一致するか否かが判定される。そして、Ｓ１０９で加入者番号情報の下４桁と、照合専用番号の下４桁とが一致したときには、回線接続された相手先端末が発呼番号に対応する通信端末であると判断され、前記Ｓ１０８が実行される。
【００３２】
一方、Ｓ１０９で加入者番号情報の下４桁と、照合専用番号の下４桁同士とが一致しなかったときには、回線接続された相手先端末が発呼番号に対応する正しい通信端末ではないと判断される。そして、次にＳ１１０で、所定のファクシミリ通信手順によりこのファックス送信処理が中止され、相手先端末との回線が切断される。
【００３３】
また、前記Ｓ１０１で、照合専用番号が入力されなかったと判定されたときには、通常送信モードとなり、次に、Ｓ１１１で、スタートボタンが押されたか否かが判定される。Ｓ１１１でスタートボタンが押されたと判定されると、次にＳ１１２で発呼番号が回線に送出される。次に、Ｓ１１３で相手先端末に接続されたか否かが判定され、相手先端末に接続されたと判定されると、次にＳ１１４で、通常のデータ送信が実行された後、このファックス送信処理が終了される。
【００３４】
以上のように、この実施形態の複合機１０においては、ユーザによる発呼番号の入力に基づいて回線接続された相手先端末から受け取った加入者番号情報の例えば下４桁と、発呼番号の下４桁、及び、照合専用番号の下４桁とが順次照合される。そして、加入者番号情報の下４桁が、発呼番号又は照合専用番号の下４桁と一致したときには、相手先端末が発呼番号に対応した正しい通信端末であると判断され、ファックス送信が実行される。このため、例えば相手先の会社内の通信端末に対して社外の通信端末からパスワード送信によるファックス送信を行おうとするときに、その相手先端末において加入者番号情報として外線番号及び内線番号のいずれの番号が設定されていても、発呼番号に対応する正しい相手先端末への接続がなされたか否かを判定することができる。従って、パスワード送信時において、発呼番号の入力に基づいて回線接続された相手先端末が、発呼番号に対応する正しい通信端末であるにも拘らず、その相手先通信端末が発呼番号に対応する通信端末ではないと判断されてしまうことが防止される。この結果、発呼番号に対応した正しい相手先通信端末に対する接続をより確実に判別し、正しい相手先端末へのファックス送信をより確実に行うことができる。
【００３５】
なお、この実施形態では、区切り記号としてスラッシュ「／」を用いたが、これに限らず、例えば区切り記号として、「＆」や「＋」を用いてもよい。
また、発呼側端末におけるファックス送信時に、発呼番号の前に区切り記号で区切って入力される照合専用番号と、加入者番号情報とを照合する構成としてもよい。
【００３６】
また、加入者番号情報と照合専用番号との照合のみを行う構成としてもよい。
【図面の簡単な説明】
【００３７】
【図１】一実施形態の通信端末装置が実行する通信処理を示すフローチャート。
【図２】同じく通信処理を示すフローチャート。
【図３】同じく通信処理を示すフローチャート。
【図４】通信端末装置の構成を示すブロック図。
【図５】（ａ）〜（ｄ）はいずれも例としての発呼番号及び照合専用番号。
【符号の説明】
【００３８】
１０…通信端末装置としての複合機、１１…照合手段としてのＭＰＵ。
【図１】
2007129352.tif 000003
【図２】
2007129352.tif 000004
【図３】
2007129352.tif 000005
【図４】
2007129352.tif 000006
【図５】
2007129352.tif 000007